(57)【特許請求の範囲】
【請求項１】
回転扉であって、天井構造体（７）に組み込まれた天井駆動装置保持体（１０）が設けられており、前記天井構造体（７）が、周壁帯状部材（１１）により外側で制限された、互いに解離可能に結合されて１つの完全な円を成す２つの半円形のセグメント（８，９）を有しており、前記天井駆動装置保持体（１０）が少なくとも１つのセグメントと解離可能に結合されている形式のものにおいて、
前記天井駆動装置保持体（１０）が前記２つのセグメント（８，９）の間に配置されていて、前記天井駆動装置保持体（１０）の長さ（Ｌ）が前記周壁帯状部材（１１）の内径（ｄ）に相応するように構成されており、前記天井駆動装置保持体（１０）が、前記両方のセグメント（８，９）の前記周壁帯状部材（１１）の互いに境を成す突き合わせ縁部（１２）の領域において、互いに結合されて１つの完全な円を成す前記周壁帯状部材（１１）に、摩擦接続的および形状接続的に解離可能に結合されていることを特徴とする回転扉。
【請求項２】
前記天井駆動装置保持体（１０）がその長さ（Ｌ）の少なくとも一部にわたって箱形の中空体（１３）として形成されている、請求項１記載の回転扉。
【請求項３】
前記天井駆動装置保持体（１０）がその長さ（Ｌ）全体にわたって箱形の中空体（１３）として形成されている、請求項１記載の回転扉。
【請求項４】
前記天井駆動装置保持体（１０）が解離可能に互いに結合された複数の箱形の中空体（１３）から成っている、請求項１から３までのいずれか１項記載の回転扉。
【請求項５】
前記天井駆動装置保持体（１０）が、前記周壁帯状部材（１１）に境を接する端面（１４）を介して解離可能に周壁帯状部材（１１）に結合されている、請求項１から４までのいずれか１項記載の回転扉。
【請求項６】
前記天井駆動装置保持体（１０）が該天井駆動装置保持体（１０）の長手方向（矢印方向Ｙ）に対して直角に延在するステー（１５）を介して前記周壁帯状部材（１１）に支持されている、請求項１から５までのいずれか１項記載の回転扉。
【請求項７】
前記天井駆動装置保持体（１０）を間に収容する、前記天井構造体（７）の前記周壁帯状部材（１１）が上側では２つの半円形の天井セグメント（１６）によって、かつ下側では互いに接続されて１つの完全な円を成す複数の点検セグメント（１７，１７′）によって制限されるようになっている、請求項１から６までのいずれか１項記載の回転扉。
【発明の詳細な説明】
【０００１】
本発明は、回転扉であって、天井構造体に組み込まれた天井駆動装置保持体が設けられており、前記天井構造体が、周壁帯状部材により外側で制限された、互いに解離可能に結合されて１つの完全な円を成す２つの半円形のセグメントを有しており、前記天井駆動装置保持体が少なくとも１つのセグメントと解離可能に結合されている形式のものに関する。
【０００２】
回転扉が大きな直径を有している場合には、回転扉のための天井構造体に、解離可能に互いに結合される２つのセグメントを使用すると特に有利である。これにより一方では製造工場における試運転を目的とした予備組立てを経済的に行うことができ、他方では天井構造体全体を分割できることに基づき搬送を有利に行うことができるようになる。
【０００３】
冒頭に記載した形式の装置では、天井駆動装置保持体が両セグメントのうち一方の構成部材を形成しており、現場での最終組立てでは天井駆動装置保持体が第２のセグメントにだけ接続される。この天井駆動装置保持体は長さに関しては比較的短く構成されていて、天井駆動装置保持体を端面側で制限する、天井構造体の２つのリブの間に配置されている。つまり天井駆動装置保持体は３次元的な寸法に関連して、回転扉の運転のために必要な駆動装置と、これに対応配置された制御・調整装置とを天井駆動装置保持体に収容できるように形成されている。
【０００４】
回転扉の直径が変えられた場合、つまり特に回転扉の直径が拡大された場合には、これにしたがって変えられる必要がある駆動装置もしくは制御・調整装置の出力のために、適当に適合させられた天井駆動装置保持体を使用する必要が生じる。
【０００５】
本発明の課題はドイツ連邦共和国特許第４３４４２０４号明細書に記載の装置によって得られた利点、つまり好都合な予備組立て、組立て、搬送の可能性を維持したまま、天井駆動装置保持体が天井構造体の補強および突張り補強を行う構成部材を形成することにより、例えば周壁帯状部材を支持するステーような天井構造体の他の部材を軽くかつ経済的に形成することができるようになる、天井構造体に組み込まれる天井駆動装置保持体を提供することである。同時に天井駆動装置保持体を構造的に簡単な形式で、変えられた回転扉の直径に適合させることができるように、天井駆動装置保持体が天井構造体に組み込まれるようにしたい。本来の駆動装置または制御・調整装置を受容する領域の外寸を変えることなく、天井駆動装置保持体を回転扉の直径に適合させることができるようにしたい。
【０００６】
前記課題は本発明では請求項１記載の構成によって解決された。請求項１記載の構成では天井駆動装置保持体はセグメントの間に配置されている。天井駆動装置保持体の長さは周壁帯状部材の内径に相応し、この天井駆動装置保持体は両セグメントの周壁帯状部材の境を成す突き合わせ縁部の領域において、互いに結合されて１つの完全な円を成す周壁帯状部材に、摩擦接続的および形状接続的に結合されるようになっている。
【０００７】
本発明に基づき天井駆動装置保持体は両セグメントの間に配置されていて、周壁帯状部材の内径にわたって延在している。この天井駆動装置保持体は公知の形式で中央領域に駆動装置と制御装置と調整装置とを有している。周壁帯状部材の内壁に面した、天井駆動装置保持体の外側領域は保持または支持する機能だけを有しており、天井構造体全体を突張り補強する。大きな直径を有する回転扉のために本発明による天井駆動装置保持体を使用した場合には、天井駆動装置保持体の長さに基づき、強化された駆動装置または付加的な制御・調整装置を配置するための十分な空間が提供される。例えば夜間閉鎖用または緊急避難用またはこれに類するもののための駆動装置および調整装置を付加的に組付ける必要がある場合にも本発明の構成は有効である。天井駆動装置保持体を周壁帯状部材の種々異なる直径に適合させることは天井駆動装置保持体と周壁帯状部材との間に配置される適合部材を天井駆動装置保持体の端面側に対応配置すると最も簡単に行うことができる。
【０００８】
本発明の他の特徴は請求項２以下に記載した。
【０００９】
天井駆動装置保持体が少なくともその長さの一部にわたってまたは長さ全体にわたって箱形の中空体として形成されているかまたは、周壁帯状部材の種々異なる直径に適合させるために本発明の別の構成では天井駆動装置保持体が解離可能に互いに結合された複数の箱形の中空体から構成されていると有利である。
【００１０】
天井駆動装置保持体が周壁帯状部材の境を成す端面を介して解離可能に周壁帯状部材に結合されており、これにより同時に両セグメントの周壁帯状部材の互いに向き合った突き合わせ面が互いにセンタリングされるようになっていると、天井構造体の特に良好な突張り補強が得られる。
【００１１】
天井駆動装置保持体の長手方向に対して直交した方向に付加的な突張り補強を得るためには、天井駆動装置保持体をその長手方向に対して直角に延びるステーを介して周壁帯状部材に支持することが有利である。
【００１２】
天井駆動装置保持体は、天井駆動装置保持体を間に収容する天井構造体の周壁帯状部材が上側で半円形の２つの天井セグメントによって制限されかつ下側で互いに接続されて１つの完全な円を成す複数の点検セグメントによって制限されているように天井構造体に組み込まれていると有利である。
【００１３】
結果として冒頭に記載した形式の回転扉において、周壁帯状部材に、ひいては種々異なる直径を有する回転扉に適合させるために天井駆動装置保持体を横断面寸法に関連して変える必要のない、内部に組み込まれた天井駆動装置保持体を有する天井構造体が得られる。これは、天井駆動装置保持体の長さだけを、例えば適合部材を対応配置することによってそのつど周壁帯状部材の内径に適合させるだけでよいことを意味する。この場合、天井駆動装置保持体と周壁帯状部材との間の接続を行うための孔の配置パターンは変えることなく維持することができる。天井駆動装置保持体は天井構造体全体を突張り補強する部材を形成する。天井駆動装置保持体はその長さに基づいて、個々の回転扉における要求に合わせられた種々異なる駆動装置および制御・調整装置を天井駆動装置保持体の内部に配置することを可能にする。
【００１４】
次に概略的に示した可能な２つの実施形態に基づき本発明を詳説する。
【００１５】
図１において全体を符号１で示した回転扉は主な構成部材として、側方で壁閉鎖部３が接続する円筒壁部材２と、底支承部４と、中央柱５と、扉板接続部材６に取り付けられた扉板３８と、全体を符号７で示した天井構造体とから構成されている。
【００１６】
また天井構造体７の主な構成部材は周壁帯状部材１１を有する両セグメント８，９と、長さＬを有する天井駆動装置保持体１０と、上側の天井セグメント１６と、下側の点検セグメント１７とから構成されている。天井／壁閉鎖部は符号２２で示した。
【００１７】
図２では天井駆動装置保持体１０が周壁帯状部材１１の直径ｄ（図５参照）にわたって延在しているのが分かる。図２では両セグメント８，９（図１参照）はまだ結合されていない。両セグメント８，９の周壁帯状部材１１は半円形に延びており、図示した横ステー２０は実質的には弦を形成している。これらの横ステー２０はねじ結合部材２３によって互いに結合され、両セグメント８，９をＸ方向に結合させた状態では両周壁帯状部材１１の突き合わせ縁部１２は互いに向き合って位置する。孔２４，２５を介して天井駆動装置保持体１０の各端面１４はねじ結合部材３７によって周壁帯状部材１１に結合される。
【００１８】
付加的なステー２１は横ステー２０を周壁帯状部材１１に対して支持する。両周壁帯状部材１１を結合させた後、天井駆動装置保持体１０は周壁帯状部材１１のフランジ２６上に載置される。
【００１９】
箱形に形成された天井駆動装置保持体１０の上側のカバープレートは符号２７で示した。
【００２０】
図３には、同様に半円形に形成された天井セグメント１６による、天井構造体７の上側の閉鎖部が示されている。矢印方向Ｚで天井セグメント１６を取り付けた後で天井セグメント１６をねじ結合部材３５を用いて周壁帯状部材１１に結合することができる。
【００２１】
図４に示した実施形態では図２に示した横ステー２０が廃止されている。周壁帯状部材１１への天井駆動装置保持体１０の接続は図２に示した形式で行われる。付加的な横方向の支持は、一方では天井駆動装置保持体１０に支持されかつ他方では周壁帯状部材１１に支持されたステー１５によって実現されている。箱形の中空体として形成された天井駆動装置保持体１０は、矢印方向Ｙにおいて適合部材または取付け成形部材またはこれに類するもの（図示せず）によって、周壁帯状部材１１の種々異なる内径に適合させられ得る。駆動・制御・調整装置を配置するためには天井駆動装置保持体１０の中空室１３全体が提供されている。
【００２２】
図５には天井構造体７の下側の閉鎖部が示されている。このためには周壁帯状部材１１を突張り補強する支持成形体１９が使用されている。これらの支持成形体１９にはセグメント１７が矢印方向Ｆに挿入される。このセグメント１７は同時に点検セグメントまたは点検開口として使用することができる。点検セグメントの１つに関連して、支承部端板１８の一部である分割された付加的な点検セグメント１７´が設けられている。
【００２３】
図６に示した図に基づき天井駆動装置保持体１０は、プロフィル成形された側方の２つの長手方向支持体２８を有している。これらの長手方向支持体２８は横方向支持体３１によって互いに間隔をおいて配置されていて、下側のカバープレート２９によって結合されて、閉鎖された箱形成形体を成している。このようにして閉鎖された中空室は駆動装置室３０と制御・調整室３９とを形成するために適している。ケーブル導通部は符号３２で示されている。必要である場合には、種々異なる要求に適応させるために天井駆動装置保持体１０の寸法を変える必要なく、駆動室３０および制御・調整室３９の側方の空間を他の装置を配置するために使用できる。
【図面の簡単な説明】
【図１】  回転扉の主な構成部材の分解図である。
【図２】  図１に基づく天井構造体を示した概略図である。
【図３】  図１に基づく天井構造体を示した概略図である。
【図４】  図２に対して部分的に変えられた支持部を有する天井駆動装置保持体を示した概略図である。
【図５】  下方から見た天井構造体の概略図であり、（ａ）はその一部を拡大して示した図である。
【図６】  下方から見た天井駆動装置保持体の中間領域を部分的に破断して示した概略図である。
【符号の説明】
１  回転扉、２  円筒壁部材、３  壁閉鎖部、４  底支承部、５  中央柱、６  扉板接続部材、７  天井構成部材、８，９  セグメント、１０  天井駆動装置保持体、１１  周壁帯状部材、１２  突き合わせ縁部、１３  中空体、１４  端面、１５  ステー、１６  天井セグメント、１７  セグメント、１７´  セグメント、１８  支承部端板、１９  支持成形体、  ２０  横ステー、  ２１  ステー、２２  天井／壁閉鎖部、２３  ねじ結合部材、２４，２５  孔、２６  フランジ、２７  カバープレート、２８  長手方向支持体、２９  カバープレート、３０  駆動装置室、３１  横方向支持体、３２  ケーブル導通部、３３  制御・調整装置、３４  駆動装置、３５，３６，３７  ねじ結合部材、３８  扉板、３９  制御・調整室、Ｌ  長さ、ｄ  直径、Ｘ，Ｙ，Ｚ，Ｆ  矢印方向
【図１】
0004309588.tif 000002
【図２】
0004309588.tif 000003
【図３】
0004309588.tif 000004
【図４】
0004309588.tif 000005
【図５】
0004309588.tif 000006
【図６】
0004309588.tif 000007